(57)【要約】【課題】表示部の構成に拘わらず所望の測定装置を無線通信の通信対象として容易に設定する。【解決手段】電流測定装置２との間で無線通信を行う通信部１３と、通信部１３を制御して１つの電流測定装置２だけを対象として無線通信を行わせる固定通信制御を実行すると共に、電流測定装置２から送信される信号Ｓ１に含まれる測定データＤｄに基づいて電流測定装置２によって測定された電流値を表示部１１に表示させる制御部１６と、電流測定装置２から出力される信号Ｓ１の電界強度Ｍｅを検出する検出部１４とを備え、制御部１６は、検出部１４によって検出された電界強度Ｍｅが予め決められた条件を満たす信号Ｓ１を出力している電流測定装置２を通信対象として設定して固定通信制御を実行する。【選択図】図２
2016116014.tif 000002
【特許請求の範囲】
【請求項１】
外部の測定装置との間で無線通信を行う通信部と、当該通信部を制御して１つの前記測定装置だけを対象として前記無線通信を行わせる固定通信制御を実行する制御部と、前記測定装置から送信される信号に含まれるデータに基づいて予め決められた処理を実行する処理部とを備えた処理装置であって、
前記測定装置から出力される前記信号の強度を示す被検出量を検出する検出部を備え、
前記制御部は、前記検出部によって検出された前記被検出量が予め決められた条件を満たす前記信号を出力している前記測定装置を通信対象として設定して前記固定通信制御を実行する処理装置。
【請求項２】
予め規定された規定時間内に前記検出部によって検出された前記被検出量の中で当該被検出量が最大で、かつ当該最大の被検出量が予め規定された規定値以上との条件が前記予め決められた条件として規定されている請求項１記載の処理装置。
【請求項３】
前記検出部によって検出された前記被検出量が予め規定された規定値以上との条件が前記予め決められた条件として規定されている請求項１記載の処理装置。
【請求項４】
予め規定された規定時間内に前記検出部によって検出された前記被検出量の中で当該被検出量が最大との条件が前記予め決められた条件として規定されている請求項１記載の処理装置。
【請求項５】
前記制御部は、前記通信対象として設定した前記測定装置からの前記信号の出力が停止したと判別したときに当該設定を解除する請求項１から４のいずれかに記載の処理装置。
【請求項６】
前記制御部は、予め決められた操作がされたときに、前記通信対象として設定されている前記測定装置に対して当該設定されていることを報知させる指示信号を前記通信部に送信させる請求項１から５のいずれかに記載の処理装置。
【請求項７】
請求項１から６のいずれかに記載の処理装置と、前記測定装置とを備え、
前記処理部は、前記測定装置から送信される信号に含まれるデータに基づいて当該測定装置によって測定された被測定量を表示部に表示させる表示処理を前記予め決められた処理として実行する測定システム。
【発明の詳細な説明】
【技術分野】
【０００１】
本発明は、測定装置から送信される信号に含まれるデータに基づいて処理を行う処理装置、およびその処理装置と測定装置とを備えた測定システムに関するものである。
【背景技術】
【０００２】
この種の測定システムとして、下記特許文献１において出願人が開示した測定システムが知られている。この測定システムは、測定装置および携帯端末装置（スマートフォン）を備えて、測定装置によって測定された物理量の測定結果を携帯端末装置の表示部に表示可能に構成されている。この測定システムでは、通信規格としてのＢｌｕｅｔｏｏｔｈ（登録商標）に従って測定装置と携帯端末装置との間で無線通信を行ってデータの送受信を行う。この場合、無線通信を行う際には、測定装置と携帯端末装置との間においてペアリングを行う。上記の測定システムを含むこの種の測定システムでは、一般的に、次の手順でペアリングを行う。例えば、携帯端末装置側からペアリングを行うときには、まず、携帯端末装置側から探索操作を行う。この際に、探索可能範囲内に存在する探索可能状態（電源が投入されている）の機器が一覧表示される。次いで、一覧表示された機器の中から所望の機器として測定装置を指定する。この際に、パスキーの入力を求める表示がされる。次いで、測定装置に対して予め設定されたパスキーを入力する。以上により、ペアリングが終了する。また、一度ペアリングを行った携帯端末装置と測定装置との間では、次に、電源を投入した際に、自動的（または、半自動的）にパスキーを入力することなく接続が確立される。
【先行技術文献】
【特許文献】
【０００３】
【特許文献１】特開２０１４−１１６０３号公報（第６−８頁、第１図）
【発明の概要】
【発明が解決しようとする課題】
【０００４】
ところが、上記の測定システムには、改善すべき以下の課題がある。すなわち、この測定システムでは、測定装置と携帯端末装置との間においてペアリングを行う際に、探索可能状態の機器を検索する操作、一覧表示された機器の中から所望の測定装置を選択する操作、およびパスキーを入力する操作を行う必要がある。このため、この測定システムでは、例えば、複数の測定装置の中から接続（ペアリング）する対象の測定装置を変更しつつ測定を行うような作業形態においては、これらの煩雑な操作を繰り返すこととなるため、作業効率の向上が困難となっている。また、この測定システムでは、ペアリングを行う際に、パスキーを入力するための入力用画面を表示する必要があるため、例えば、携帯端末装置が、セグメント方式で数桁の数字のみを表示可能な簡易な表示部しか備えていないときには、数字以外の文字を含むパスキーや長い桁数のパスキーの入力が困難となるため、無線通信によるデータの送受信が困難となる。
【０００５】
本発明は、かかる改善すべき課題に鑑みてなされたものであり、表示部の構成に拘わらず所望の測定装置を無線通信の通信対象として容易に設定し得る処理装置および測定システムを提供することを主目的とする。
【課題を解決するための手段】
【０００６】
上記目的を達成すべく請求項１記載の処理装置は、外部の測定装置との間で無線通信を行う通信部と、当該通信部を制御して１つの前記測定装置だけを対象として前記無線通信を行わせる固定通信制御を実行する制御部と、前記測定装置から送信される信号に含まれるデータに基づいて予め決められた処理を実行する処理部とを備えた処理装置であって、前記測定装置から出力される前記信号の強度を示す被検出量を検出する検出部を備え、前記制御部は、前記検出部によって検出された前記被検出量が予め決められた条件を満たす前記信号を出力している前記測定装置を通信対象として設定して前記固定通信制御を実行する。
【０００７】
また、請求項２記載の処理装置は、請求項１記載の処理装置において、予め規定された規定時間内に前記検出部によって検出された前記被検出量の中で当該被検出量が最大で、かつ当該最大の被検出量が予め規定された規定値以上との条件が前記予め決められた条件として規定されている。
【０００８】
また、請求項３記載の処理装置は、請求項１記載の処理装置において、前記検出部によって検出された前記被検出量が予め規定された規定値以上との条件が前記予め決められた条件として規定されている。
【０００９】
また、請求項４記載の処理装置は、請求項１記載の処理装置において、予め規定された規定時間内に前記検出部によって検出された前記被検出量の中で当該被検出量が最大との条件が前記予め決められた条件として規定されている。
【００１０】
また、請求項５記載の処理装置は、請求項１から４のいずれかに記載の処理装置において、前記制御部は、前記通信対象として設定した前記測定装置からの前記信号の出力が停止したと判別したときに当該設定を解除する。
【００１１】
また、請求項６記載の処理装置は、請求項１から５のいずれかに記載の処理装置において、前記制御部は、予め決められた操作がされたときに、前記通信対象として設定されている前記測定装置に対して当該設定されていることを報知させる指示信号を前記通信部に送信させる。
【００１２】
また、請求項７記載の測定システムは、請求項１から６のいずれかに記載の処理装置と、前記測定装置とを備え、前記処理部は、前記測定装置から送信される信号に含まれるデータに基づいて当該測定装置によって測定された被測定量を表示部に表示させる表示処理を前記予め決められた処理として実行する。
【発明の効果】
【００１３】
請求項１記載の処理装置、および請求項７記載の測定システムでは、測定装置から出力される信号の強度を示す被検出量を検出する検出部を備え、制御部は、検出部によって検出された被検出量が予め決められた条件を満たす信号を出力している測定装置を通信対象として設定して固定通信制御を実行する。このため、この処理装置および測定システムによれば、従来の処理装置で行う煩雑な操作を行うことなく、所望の測定装置に処理装置を近接させて通信対象を設定する処理の実行を指示するだけの操作で、所望の測定装置を通信対象として確実かつ容易に設定することができる。また、この処理装置および測定システムによれば、通信対象を設定する際にパスキーを入力する必要がないため、簡易な構成の（数字以外の文字を含むパスキーや長い桁数のパスキーの表示が困難な）表示部しか備えていない処理装置においても（つまり、表示部の構成に拘わらず）、所望の測定装置を通信対象として確実かつ容易に設定することができる。
【００１４】
また、請求項２記載の処理装置、および請求項７記載の測定システムでは、規定時間内に検出部によって検出された被検出量の中で被検出量が最大で、かつ被検出量が規定値以上との条件が予め決められた条件として規定されている。つまり、この処理装置および測定システムでは、処理装置と測定装置とが近接したときに満たされる２つの要件を満たすことを予め決められた条件としているため、複数の測定装置が存在する場合において、その中の所望の測定装置に処理装置を近接させることで、その測定装置を確実に通信対象として設定することができる。
【００１５】
また、請求項３記載の処理装置、および請求項７記載の測定システムでは、検出部によって検出された被検出量が予め規定された規定値以上との条件が予め決められた条件として規定されている。このため、この処理装置および測定システムによれば、規定時間内に検出部によって検出された被検出量の中で被検出量が最大との要件が条件の中に加えられていないため、通信対象を設定する処理において規定時間が経過するまで待機する必要がない分、処理時間を短縮することができる。
【００１６】
また、請求項４記載の処理装置、および請求項７記載の測定システムでは、予め規定された規定時間内に検出部によって検出された被検出量の中で被検出量が最大との条件が予め決められた条件として規定されている。このため、この処理装置および測定システムによれば、被検出量が規定値以上との要件が条件の中に加えられていないため、測定装置から出力される信号の被検出量の値が小さい場合においても通信対象を確実に設定することができる。
【００１７】
また、請求項５記載の処理装置、および請求項７記載の測定システムでは、通信対象として設定した測定装置からの信号の出力が停止したと判別したときにその測定装置を通信対象とする設定を解除する。このため、この処理装置および測定システムによれば、例えば、通信対象を２つの測定装置の一方から他方に切り替えようとする際に、両測定装置の離間距離が短い場合においても、例えば、一方の測定装置の電源を切断することで、一方の測定装置を通信対象とする設定が解除されるため、この状態で、他方の測定装置に処理装置を近接させて通信対象を設定する処理の実行を指示することで、一方の測定装置から他方の測定装置への通信対象の切り替えを確実に行うことができる。
【００１８】
また、請求項６記載の処理装置、および請求項７記載の測定システムでは、予め決められた操作がされたときに、通信対象として設定されていることを通信対象の測定装置に報知させる指示信号を通信部に送信させる。このため、この処理装置および測定システムによれば、複数の測定装置が存在する場合において、どの測定装置が通信対象として設定されているかを使用者に対して確実に報知することができるため、複数の測定装置を用いる使用形態における利便性を十分に高めることができる。
【図面の簡単な説明】
【００１９】
【図１】測定システム１００を構成する処理装置１および電流測定装置２の正面図である。
【図２】測定システム１００の構成を示す構成図である。
【図３】測定システム１００の使用方法を説明する説明図である。
【図４】ペアリング処理５０のフローチャートである。
【発明を実施するための形態】
【００２０】
以下、処理装置および測定システムの実施の形態について、添付図面を参照して説明する。
【００２１】
最初に、図１，２に示す測定システム１００の構成について説明する。測定システム１００は、測定システムの一例であって、両図に示すように、処理装置１と、１または複数の電流測定装置２（両図では、１つの電流測定装置２のみを図示している）とを備えて構成されている。
【００２２】
処理装置１は、処理装置の一例としての携帯型端末であって、図２に示すように、表示部１１、操作部１２、通信部１３、検出部１４、記憶部１５および制御部１６を備えて構成されている。
【００２３】
表示部１１は、図１に示すように、処理装置１の正面パネルに配設されて、制御部１６の制御に従い、電流測定装置２によって測定された被測定量としての電流値を表示する。この場合、この処理装置１では、消費電力を抑えるために、例えば、セグメント方式で５桁（整数３桁、小数２桁）の数字を表示する簡易な構成の液晶表示パネルが表示部１１として採用されている。操作部１２は、処理装置１の正面パネルに配設された各種のスイッチを備えて構成され、スイッチが操作されたときに、そのスイッチに応じた操作信号を出力する。
【００２４】
通信部１３は、Ｂｌｕｅｔｏｏｔｈ規格に準じた無線通信（近距離無線通信）を実行可能に構成されている。また、通信部１３は、後述するように、各電流測定装置２のうちのいずれか１つの電流測定装置２が通信対象として設定されている状態において（以下、通信対象として設定することを「ペアリング」ともいう）、制御部１６の制御に従い、ペアリングされた電流測定装置２に限定してこの電流測定装置２における後述する通信部２３との間で信号Ｓ１，Ｓ２の送受信（無線通信）を行う。
【００２５】
検出部１４は、制御部１６の制御に従い、電流測定装置２の通信部２３から出力される信号Ｓ１の強度を示す被検出量としての電界強度（以下「電界強度Ｍｅ」ともいう）を検出する。記憶部１５は、後述するペアリング処理５０において用いられる電界強度Ｍｅについての予め決められた規定値Ｒｒを記憶する。また、記憶部１５は、通信部１３によって受信された（電流測定装置２によって送信された）信号Ｓ１に含まれる測定データＤｄを一時的に記憶する。
【００２６】
制御部１６は、操作部１２から出力される操作信号に従って表示部１１、通信部１３および検出部１４を制御する。この場合、制御部１６は、信号Ｓ１に含まれている測定データＤｄに基づいて被測定量としての電流値を特定し、表示部１１を制御して、特定した電流値を表示させる。また、制御部１６は、通信部１３を制御して、電流測定装置２の通信部２３との間で、信号Ｓ１，Ｓ２の送受信を行わせる。
【００２７】
また、制御部１６は、１つの電流測定装置２を通信対象として設定する（ペアリングする）ペアリング処理５０（図４参照）を実行する。制御部１６は、このペアリング処理５０において、検出部１４によって検出された電界強度Ｍｅ（被検出量）が予め決められた条件を満たす信号Ｓ１であるときに、その信号Ｓ１を出力している電流測定装置２を通信対象として設定する。この場合、この処理装置１では、検出部１４によって予め規定された規定時間内に検出された電界強度Ｍｅの中で電界強度Ｍｅが最大で、かつその電界強度Ｍｅが規定値Ｒｒ以上であるとの条件が予め決められた条件として規定されている。
【００２８】
また、制御部１６は、通信部１３を制御して、通信対象として設定した（ペアリングした）１つの電流測定装置２だけを対象として無線通信を行わせる固定通信制御を実行する。また、制御部１６は、通信対象として設定した電流測定装置２からの信号の出力が停止したと判別したとき、具体的には、検出部１４によって検出された電界強度Ｍｅが下限値以下となったと判別したときに、その電流測定装置２に対する通信対象の設定を解除する。また、制御部１６は、操作部１２に対して報知指示の操作（予め決められた操作）がされたときに、通信対象として設定されていることをその電流測定装置２に報知させる信号Ｓ２（指示信号）を通信部１３に送信させる。
【００２９】
また、制御部１６は、処理部として機能し、電流測定装置２から送信される信号Ｓ１に含まれる測定データＤｄに基づいて電流測定装置２によって測定された被測定量としての電流値を表示部１１に表示させる処理を予め決められた処理として実行する。
【００３０】
電流測定装置２は、測定装置の一例としてのクランプ式電流測定装置であって、測定対象としての電線２００（図１）をクランプした状態で測定対象についての被測定量（電線２００に流れる電流の電流値）を測定可能に構成されている。具体的には、電流測定装置２は、図２に示すように、表示部２１、操作部２２、通信部２３、検出部２４および制御部２５を備えて構成されている。
【００３１】
表示部２１は、図１に示すように、例えば、液晶表示器で構成されると共に電流測定装置２の正面パネルに配設されて、制御部２５の制御に従い、制御部２５によって測定された被測定量としての電流値を表示する。操作部２２は、同図に示すように、電流測定装置２の正面パネルに配設された各種のスイッチを備えて構成され、スイッチが操作されたときに、そのスイッチに応じた操作信号を出力する。
【００３２】
通信部２３は、処理装置１の通信部１３と同様にして、Ｂｌｕｅｔｏｏｔｈ規格に準じた無線通信を実行可能に構成されている。また、通信部２３は、制御部２５の制御に従い、被測定量としての電流値を示す測定データＤｄを含む信号Ｓ１を送信する。
【００３３】
検出部２４は、図１に示すように、測定対象としての電線２００をクランプ可能な一対のクランプ部３１を備えて構成され、電線２００をクランプした状態で被測定量としての電線２００に電流が流れることによって生じる磁界を検出して検出信号を出力する。
【００３４】
制御部２５は、操作部２２から出力される操作信号に従って表示部２１および通信部２３を制御する。また、制御部２５は、検出部２４から出力される検出信号に基づいて電線２００に流れる電流の電流値を測定し、その電流値を示す測定データＤｄを生成する。また、制御部２５は、通信部２３を制御して、測定データＤｄを含む信号Ｓ１を送信させる。また、制御部２５は、処理装置１から出力された信号Ｓ２が通信部２３によって受信されたときには、後述する報知処理を実行する。
【００３５】
次に、測定システム１００の使用方法、および使用の際の測定システム１００を構成する各部の動作について、図面を参照して説明する。一例として、図３に示すように、４つの電流測定装置２（以下、各電流測定装置２を区別するときには、「電流測定装置２ａ〜２ｄ」ともいう）が測定対象としての４つの電線２００（以下、各電流測定装置２を区別するときには、「電線２００ａ〜２００ｄ」ともいう）に流れる電流の電流値をそれぞれ測定している状態において、各電線２００に流れる電流の電流値を、処理装置１に順次表示させる使用形態での測定システム１００の使用方法について説明する。
【００３６】
この使用形態では、まず、各電流測定装置２の操作部２２を操作して電源を投入し、次いで、検出部２４の各クランプ部３１で電線２００をそれぞれクランプする。続いて、各電流測定装置２の操作部２２を操作して、測定の開始を指示する。この際に、制御部２５が操作部２２から出力された操作信号に従って検出部２４に磁界の検出を開始させる。これに応じて検出部２４が磁界を検出して検出信号を出力する。
【００３７】
次いで、制御部２５は、検出部２４から出力される検出信号に基づいて電線２００に流れる電流の電流値を測定し、その電流値を示す測定データＤｄを生成する。続いて、制御部２５は、通信部２３を制御して、電流測定装置２を他の電流測定装置２と識別する識別データＤｓと測定データＤｄとを含む信号Ｓ１を送信させる。
【００３８】
次いで、処理装置１の操作部１２を操作して電源を投入する。続いて、４つの電流測定装置２ａ〜２ｄのうちの１つの電流測定装置２を選択して、その電流測定装置２によって測定されている電線２００に流れる電流の電流値を処理装置１に表示させる。
【００３９】
この場合、電流測定装置２ａ〜２ｄのうちの１つとして、例えば電流測定装置２ａを選択したときには、図３に示すように、処理装置１を電流測定装置２ａに近接させ、次いで、操作部１２を操作して、ペアリング処理（通信対象を設定する処理）の実行を指示する。この際に、制御部１６は、操作部１２から出力される操作信号に従い、図４に示すペアリング処理５０を実行する。
【００４０】
このペアリング処理５０では、制御部１６は、通信部１３を制御して、電流測定装置２の通信部２３から出力される信号Ｓ１の受信を開始させる（ステップ５１）。続いて、制御部１６は、規定値Ｒｒを記憶部１５から読み出す（ステップ５２）。次いで、制御部１６は、検出部１４を制御して、通信部１３によって受信された信号Ｓ１の電界強度Ｍｅの検出を開始させる（ステップ５３）。
【００４１】
続いて、制御部１６は、電界強度Ｍｅの検出の開始から規定時間が経過するまでの間に、検出部１４によって電界強度Ｍｅが検出されたか否かを判別する（ステップ５４）。この場合、ステップ５４において、規定時間が経過するまでの間に電界強度Ｍｅが検出されたと判別したときには、制御部１６は、信号Ｓ１に含まれる識別データＤｓに基づいて信号Ｓ１の種類（どの電流測定装置２から出力された信号Ｓ１であるか）を識別して、検出部１４によって規定時間内に検出された電界強度Ｍｅの中で電界強度Ｍｅが最大の信号Ｓ１を特定する（ステップ５５）。
【００４２】
次いで、制御部１６は、ステップ５５において特定した電界強度Ｍｅが最大の信号Ｓ１の電界強度Ｍｅが規定値Ｒｒ以上であるか否かを判別する（ステップ５６）。この場合、ステップ５６において電界強度Ｍｅが規定値Ｒｒ以上であると判別したときには、制御部１６は、その信号Ｓ１を出力している電流測定装置２を、信号Ｓ１に含まれている識別データＤｓに基づいて特定し、その電流測定装置２を通信対象として設定して（ステップ５７）、ペアリング処理５０を終了する。
【００４３】
一方、ステップ５４において、規定時間が経過するまでの間に検出部１４によって電界強度Ｍｅが検出されなかったと判別したときには、制御部１６は、その旨を報知して（エラー表示して：（ステップ５８））、ペアリング処理５０を終了する。この場合、報知方法としては、一例として、表示部１１に対して全桁の数値（例えば、「８」の数字のすべて）を点滅表示させる方法を採用することができる。また、制御部１６は、ステップ５６において、電界強度Ｍｅが規定値Ｒｒ未満である（規定値Ｒｒ以上ではない）と判別したときにも、その旨を、例えば上記したエラー表示で報知して（ステップ５８）、ペアリング処理５０を終了する。
【００４４】
この場合、電流測定装置２ａに処理装置１を十分に近接させた状態でペアリング処理５０を実行させたときには、電流測定装置２ａから出力されている信号Ｓ１の電界強度Ｍｅが、他の電流測定装置２ｂ〜２ｄから出力されている信号Ｓ１の電界強度Ｍｅよりも十分に大きい値となる。このため、制御部１６は、上記したペアリング処理５０のステップ５４において、規定時間内に電界強度Ｍｅが検出されたと判別し、ステップ５５において、電流測定装置２ａから出力された信号Ｓ１（電流測定装置２ａを示す識別データＤｓを含む信号Ｓ１）を電界強度Ｍｅが最大の信号Ｓ１として特定し、ステップ５６において、その電界強度Ｍｅが規定値Ｒｒ以上であると判別し、ステップ５７において、電流測定装置２ａを通信対象として設定する。
【００４５】
また、上記したエラー表示がされたとき、つまり通信対象を設定することなく制御部１６がペアリング処理５０を終了したときには、処理装置１と電流測定装置２とが十分に近接していない可能性がある。このため、エラー表示がされたときには、処理装置１を電流測定装置２ａにさらに近接させてペアリング処理５０を再度実行させる。
【００４６】
一方、制御部１６は、ペアリング処理５０において、電流測定装置２ａを通信対象として設定したときには、固定通信制御を実行する。この固定通信制御では、制御部１６は、通信部１３を制御して、通信対象として設定した（ペアリングした）電流測定装置２ａだけを対象として無線通信を行わせる。このため、この固定通信制御が実行されている状態では、通信部１３は、通信対象の電流測定装置２ａから出力された信号Ｓ１を受信する。また、制御部１６は、通信部１３によって受信された信号Ｓ１に含まれる測定データＤｄに基づいて電流値を特定し、その電流値を表示部１１に表示させる。これにより、電流測定装置２ａによって測定された電線２００ａに流れる電流の電流値が表示部１１に表示される。
【００４７】
また、この固定通信制御が実行されている状態では、通信部１３が通信対象としての電流測定装置２ａだけを対象として無線通信を行い、電流測定装置２ａを除く他の電流測定装置２との間では、無線通信を行わないため、通信対象の設定（ペアリング）が終了した後に（固定通信制御が実行されている状態で）処理装置１を他の電流測定装置２に近接させたとしも、電流測定装置２ａだけを対象とした無線通信が維持される。
【００４８】
続いて、４つの電流測定装置２ａ〜２ｄのうちの他の１つとしての電流測定装置２ｂ（図３参照）によって測定されている電線２００ｂに流れる電流の電流値を処理装置１に表示させるときには、処理装置１を電流測定装置２ｂに近接させて、ペアリング処理の実行を指示する。この際に、制御部１６は、上記したペアリング処理５０を実行する。この場合、電流測定装置２ｂに処理装置１を十分に近接させてペアリング処理５０を実行したときには、制御部１６は、ペアリング処理５０のステップ５４において、規定時間内に電界強度Ｍｅが検出されたと判別し、ステップ５５において、電流測定装置２ｂから出力された信号Ｓ１を電界強度Ｍｅが最大の信号Ｓ１として特定し、ステップ５６において、その電界強度Ｍｅが規定値Ｒｒ以上であると判別し、ステップ５７において、電流測定装置２ｂを通信対象として設定する。次いで、制御部１６が、上記した固定通信制御を実行して、電流測定装置２ｂだけを対象として無線通信を行わせることにより、電流測定装置２ｂから出力された信号Ｓ１が通信部１３によって受信され、その信号Ｓ１に含まれる測定データＤｄに基づいて電線２００ｂに流れる電流の電流値が表示部１１に表示される。
【００４９】
続いて、電流測定装置２ｃおよび電流測定装置２ｄ（図３参照）によってそれぞれ測定されている電線２００ｃ，２００ｄに流れる電流の電流値を処理装置１に表示させるときにも、上記した操作と同様の操作を行う。以上の使用方法により、電線２００ａ〜２００ｄに流れる電流の電流値を処理装置１に順次表示させることができる。
【００５０】
この場合、この処理装置１および測定システム１００では、従来の処理装置で行う煩雑な操作、すなわち、探索可能状態の電流測定装置２を検索する操作、一覧表示された電流測定装置２の中から所望の電流測定装置２を選択する操作、およびパスキーを入力する操作等を行うことなく、所望の電流測定装置２に処理装置１を近接させてペアリング処理の実行を指示するだけの操作で、所望の電流測定装置２を通信対象として容易に設定することが可能となっている。また、この処理装置１および測定システム１００では、通信対象を設定する際にパスキーを入力する必要がないため、セグメント方式で数字を表示する簡易な構成の（数字以外の文字を含むパスキーや長い桁数のパスキーの表示が困難な）表示部１１しか備えていない処理装置１においても（つまり表示部の構成に拘わらず）、所望の電流測定装置２を通信対象として設定することが可能となっている。
【００５１】
一方、この測定システム１００は、複数の電流測定装置２が存在する場合において、どの電流測定装置２が通信対象として設定されているかを報知する機能を備えている。この機能を用いるときには、操作部１２における報知指示用のスイッチ（図示せず）を操作する（予め決められた操作）。この際に、制御部１６が操作部１２から出力された操作信号に従い、通信部１３を制御して、通信対象として設定している電流測定装置２に対して信号Ｓ２（指示信号）を送信させる。
【００５２】
次いで、通信対象として設定されている電流測定装置２の通信部２３が信号Ｓ２を受信し、制御部２５が信号Ｓ２の指示に従い、通信対象として設定されていることを報知する報知処理を実行する。この場合、報知方法としては、一例として、表示部２１のバックライトを点滅させる方法を採用することができる。また、音声出力部を設けて、この音声出力部に報知音を出力させる方法を採用することもできる。
【００５３】
また、この測定システム１００は、通信対象として設定した電流測定装置２からの信号の出力が停止したときに、その電流測定装置２に対する通信対象の設定を解除する機能（設定解除機能）を備えている。具体的には、制御部１６が、検出部１４によって検出された電界強度Ｍｅが予め規定された下限値以下となったと判別したときに、その電流測定装置２に対する通信対象の設定を解除する。
【００５４】
ここで、例えば、通信対象を図３に示す電流測定装置２ａから電流測定装置２ｂに切り替えようとする際に、電流測定装置２ａと電流測定装置２ｂとの離間距離が短いときには、処理装置１を電流測定装置２ｂに近接させても、電流測定装置２ａ，２ｂからそれぞれ出力される信号Ｓ１の各電界強度Ｍｅの差が小さいことがあり、このために電流測定装置２ａから電流測定装置２ｂへの通信対象の切り替えが困難となることがある。このときには、上記の設定解除機能を用いて、例えば、電流測定装置２ａの電源を切断することで、電流測定装置２ａを通信対象とする設定が解除される。このため、この状態で、電流測定装置２ｂに処理装置１を近接させてペアリング処理の実行指示することで、電流測定装置２ａから電流測定装置２ｂへの通信対象の切り替えを確実に行うことが可能となっている。
【００５５】
このように、この処理装置１および測定システム１００では、電流測定装置２から出力される信号Ｓ１の強度を示す電界強度Ｍｅ（被検出量）を検出する検出部１４を備え、制御部１６は、検出部１４によって検出された電界強度Ｍｅが予め決められた条件を満たす信号Ｓ１を出力している電流測定装置２を通信対象として設定して固定通信制御を実行する。このため、この処理装置１および測定システム１００によれば、従来の処理装置で行う煩雑な操作を行うことなく、所望の電流測定装置２に処理装置１を近接させて通信対象を設定する処理（ペアリング処理）の実行を指示するだけの操作で、所望の電流測定装置２を通信対象として確実かつ容易に設定することができる。また、この処理装置１および測定システム１００によれば、通信対象を設定する際にパスキーを入力する必要がないため、簡易な構成の（数字以外の文字を含むパスキーや長い桁数のパスキーの表示が困難な）表示部１１しか備えていない処理装置１においても（つまり、表示部の構成に拘わらず）、所望の電流測定装置２を通信対象として確実かつ容易に設定することができる。
【００５６】
また、この処理装置１および測定システム１００では、規定時間内に検出部１４によって検出された電界強度Ｍｅの中で電界強度Ｍｅが最大で、かつ電界強度Ｍｅが規定値Ｒｒ以上との条件が予め決められた条件として規定されている。つまり、この処理装置１および測定システム１００では、処理装置１と電流測定装置２とが近接したときに満たされる２つの要件を満たすことを予め決められた条件としているため、複数の電流測定装置２が存在する場合において、その中の所望の電流測定装置２に処理装置１を近接させることで、その電流測定装置２を確実に通信対象として設定することができる。
【００５７】
また、この処理装置１および測定システム１００では、通信対象として設定した電流測定装置２からの信号Ｓ１の出力が停止したと判別したときにその電流測定装置２を通信対象とする設定を解除する。このため、この処理装置１および測定システム１００によれば、例えば、通信対象を２つの電流測定装置２の一方から他方に切り替えようとする際に、両電流測定装置２の離間距離が短い場合においても、例えば、一方の電流測定装置２ａの電源を切断することで、一方の電流測定装置２を通信対象とする設定が解除されるため、この状態で、他方の電流測定装置２に処理装置１を近接させて通信対象を設定する処理の実行を指示することで、一方の電流測定装置２から他方の電流測定装置２への通信対象の切り替えを確実に行うことができる。
【００５８】
また、この処理装置１および測定システム１００では、予め決められた操作がされたときに、通信対象として設定されていることを通信対象の電流測定装置２に報知させる信号Ｓ２を通信部１３に送信させる。このため、この処理装置１および測定システム１００によれば、複数の電流測定装置２が存在する場合において、どの電流測定装置２が通信対象として設定されているかを使用者に対して確実に報知することができるため、複数の電流測定装置２を用いる使用形態における利便性を十分に高めることができる。
【００５９】
なお、処理装置および測定システムの構成は、上記の構成に限定されない。例えば、規定時間内に検出部１４によって検出された電界強度Ｍｅの中で電界強度Ｍｅが最大で、かつ最大の電界強度Ｍｅが規定値Ｒｒ以上との条件を予め決められた条件として規定する例について上記したが、検出部１４によって検出された電界強度Ｍｅが規定値Ｒｒ以上との条件（規定時間内に検出部１４によって検出された電界強度Ｍｅの中で電界強度Ｍｅが最大との要件を加えない条件）を、予め決められた条件として規定する構成を採用することもできる。この構成においても、表示部の構成に拘わらず、所望の電流測定装置２を通信対象として確実かつ容易に設定することができる。また、この構成によれば、規定時間内に検出部１４によって検出された電界強度Ｍｅの中で電界強度Ｍｅが最大との要件が条件の中に加えられていないため、通信対象を設定する処理（ペアリング処理５０）において規定時間が経過するまで待機する必要がない分、処理時間を短縮することができる。
【００６０】
また、規定時間内に検出部１４によって検出された電界強度Ｍｅの中で電界強度Ｍｅが最大との条件（電界強度Ｍｅが規定値Ｒｒ以上との要件を加えない条件）を予め決められた条件として規定する構成を採用することもできる。この構成においても、表示部の構成に拘わらず、所望の電流測定装置２を通信対象として確実かつ容易に設定することができる。また、この構成によれば、電界強度Ｍｅが規定値Ｒｒ以上との要件が条件の中に加えられていないため、電流測定装置２から出力される信号Ｓ１の電界強度Ｍｅが小さい場合においても通信対象を確実に設定することができる。
【００６１】
また、Ｂｌｕｅｔｏｏｔｈ規格に準じた無線通信を通信部１３，２３が実行する例について上記したが、Ｂｌｕｅｔｏｏｔｈ規格以外の規格に準じた無線通信を通信部１３，２３が実行する構成や、この測定システム１００専用の方式で通信部１３，２３が無線通信を実行する構成を採用することもできる。
【００６２】
また、簡易な構成の表示部１１を備えた処理装置１に適用した例について上記したが、処理装置１の形態はこれに限定されない。例えば、スマートフォン等の多機能の携帯型端末に適用することもでき、この場合においても、上記した各効果を実現することができる。また、据え置き型の処理装置を処理装置１として採用することもできる。
【００６３】
また、電流測定装置２によって測定された被測定量を表示部１１に表示させる表示処理を予め決められた処理として実行する例について上記したが、予め決められた処理は、表示処理に限定されず、任意の各種処理が含まれる。例えば、測定データＤｄを記録する処理や、測定値を示す図形や文字をプリントアウトする処理を予め決められた処理として実行する処理装置１に適用することもできる。
【００６４】
また、測定装置としてのクランプ式電流測定装置である電流測定装置２を備えて測定システム１００を構成した例について上記したが、他の測定装置を備えて測定システム１００を構成することもできる。この場合、測定装置が測定する被測定量も上記した電流値に限定されない。例えば、電圧値、抵抗値、電力値、位相、温度、湿度、輝度および照度等の各種の物理量を測定する測定装置を備えて測定システム１００を構成することができる。
【符号の説明】
【００６５】
１  処理装置
２，２ａ〜２ｄ  電流測定装置
１１  表示部
１３  通信部
１４  検出部
１６  制御部
２３  通信部
２５  制御部
１００  測定システム
Ｄｄ  測定データ
Ｍｅ  電界強度
Ｒｒ  規定値
Ｓ１  信号
Ｓ２  信号
Ｔｒ  時間
【図１】
2016116014.tif 000003
【図２】
2016116014.tif 000004
【図３】
2016116014.tif 000005
【図４】
2016116014.tif 000006